(57)【特許請求の範囲】
【請求項１】
干渉性電磁放射光を出力する光源手段（２）と、前記光源手段（２）からの放射光を空間点（Ｐ）へ送信する送信手段（４）と、前記空間点（Ｐ）からの反射放射光を受信する受信手段（６）と、前記反射放射光の任意のドップラーシフトを測定する測定手段（８）とを備えるドップラーセンサ装置であって、前記送信手段（４）と前記受信手段（６）とは別個のものであり、前記送信手段（４）及び前記受信手段（６）の各々は、取り外し可能に取り付けられる放射光案内手段（２６，２８）を有し、前記光源手段（２）から前記送信手段（４）へ及び前記受信手段から前記測定手段（８）へ放射光を案内する前記放射光案内手段（２６，２８）は、前記送信手段（４）及び前記受信手段（６）を前記送信手段（４）及び前記受信手段（６）に位置合わせするのに使用される放射光案内手段と交換できるようになっていることを特徴とする装置。
【請求項２】
前記放射光案内手段（２６，２８）は、光ファイバ手段であることを特徴とする請求項１に記載の装置。
【請求項３】
前記放射光は、光ファイバ手段により前記装置の各構成部品の間に案内されることを特徴とする請求項１又は２に記載の装置。
【請求項４】
前記光源手段（２）は、半導体レーザであることを特徴とする請求項１から２のいずれか１項に記載の装置。
【請求項５】
前記光源手段（２）からの前記放射光を２つの第１の出力に分配するための第１の手段（１０）を更に含むことを特徴とする請求項１から４のいずれか１項に記載の装置。
【請求項６】
アイソレータ（１２）を更に含むことを特徴とする請求項１から５のいずれか１項に記載の装置。
【請求項７】
増幅器（１６）を更に含むことを特徴とする請求項１から６のいずれか１項に記載の装置。
【請求項８】
モジュレータ（１４）を更に含むことを特徴とする請求項１から７のいずれか１項に記載の装置。
【請求項９】
前記送信手段（４）と受信手段（６）とを位置合わせするのに使用する放射光を案内するための前記放射光案内手段は、前記第１の出力の１つからの放射光を２つの第２の出力に分配する第２の手段（３０）と、前記２つの第２の出力からの放射光を前記送信手段及び前記受信手段へ案内する放射光案内手段とを備えることを特徴とする請求項１から８のいずれか１項に記載の装置。
【請求項１０】
偏光コントローラ（２０）を更に備えることを特徴とする請求項１から９のいずれか１項に記載の装置。
【請求項１１】
前記２つの第１の出力の他方からの放射光と前記受信手段（６）からの放射光とを結合し、前記結合された放射光を２つの第３の出力に分配する手段（１８）を更に備えることを特徴とする請求項５に記載の装置。
【請求項１２】
前記第３の出力の一方の放射光を受信するモニタ手段（２２）と、前記第３の出力の他方の放射光を受信する検出手段（２４）とを更に備えることを特徴とする請求項１１に記載の装置。
【請求項１３】
前記受信手段（６）は、第１及び第２の受信入力を有し、各々が前記空間点の別個の反射放射光を受信することを特徴とする請求項１から１２のいずれか１項に記載の装置。
【請求項１４】
干渉性電磁放射光を出力する光源手段（２）と、前記光源手段（２）からの放射光を空間点（Ｐ）へ送信する送信手段（４）と、前記空間点（Ｐ）からの反射放射光を受信する受信手段（６）と、前記反射放射光の任意のドップラーシフトを測定する測定手段（８）とを備えるドップラーセンサ装置であって、前記送信手段（４）と前記受信手段（６）とは別個のものであり、前記送信手段と前記受信手段とを位置合わせする方法は、前記送信手段及び前記受信手段から同時に放射光を送信する段階と、前記送信手段及び前記受信手段の位置を各々が送信した放射光が交差するまで調整する段階と、を含むことを特徴とする装置。
【請求項１５】
干渉性電磁放射光を出力する光源手段（２）と、前記光源手段（２）からの放射光を空間点（Ｐ）へ送信する送信手段（４）と、前記空間点（Ｐ）からの反射放射光を受信する受信手段（６）と、前記反射放射光の任意のドップラーシフトを測定する測定手段（８）と、前記光源手段（２）から前記送信手段（４）、及び前記受信手段から前記測定手段（８）へ放射光を案内する手段とを備えるドップラーセンサ装置であって、前記送信手段（４）と前記受信手段（６）とは別個のものであり、前記送信手段と前記受信手段とを位置合わせする方法は、前記放射光案内手段を、前記送信手段及び前記受信手段に放射光を案内する手段へ交換する段階を含むことを特徴とする装置。
【発明の詳細な説明】
【０００１】
（技術分野）
本発明は、ドップラー技術を用いた粒子速度の測定に関する。
【０００２】
（背景技術）
風速の測定は、例えば、気象分野及び航空分野等の多数の技術分野で必要である。例えば、航空機の実際の対気速度又はその伴流速度を確認する必要がある場合もある。公知の風速の測定方法は、連続波干渉レーザドップラー速度計を利用している。空中の粒子は、浮遊空気と同じ速度で移動すると想定される。つまり、速度は、空気の特定の体積を通過する粒子から反射されるレーザ光線におけるドップラーシフトを測ることで測定できる。特定の体積は、一般には試験体積と呼ばれている。ドップラーシフトは、反射光線信号をビート（ヘテロダイン）することによって高精度に測定される。
【０００３】
モノスタティック・レーザドップラー速度計システムは、共通の送信及び受信部品をもつことにその名称の由来がある。システムからのレーザ光線は、風速が測定される空間領域内に送信される。空中の粒子から反射され同じ部品に戻るレーザ光線は、風速を測定するために分析される。空間分解能は、送信光ビームを空間領域に集束させることによって得られる。実際には、回折によりモノスタティック・システムは、数百メートルの範囲に制限される。更に、焦点を外れると感度が徐々に低下するので、試験体積を規定するのが難しい場合もある。その結果、試験体積から離れている雲、煙、又は他の物体が、妨害反射をもたらす場合もある。従って、例えば風洞実験において、風速の正確な局在化が必要な場合には、モノスタティック・システムは適切ではない。
【０００４】
バイスタティック・システムは、風速測定を局在化するのに適切であり、その名称は別個の送信及び受信部品をもつことに由来している。バイスタティック・システムの光学的装置は、非平行な送信ビームと「受信」ビームとを交差するよう配置できるので、良好に規定された試験体積を提供できるようになっている。試験体積を限定できるので、前述の事由に対して好都合であるが、信号出力の低下を引き起こす場合もある。即ち、一般に、高いレンジ分解能は、搬送波雑音比の低下を伴う。満足のいく位置合わせのためには、送信及び「受信」ビーム焦点は、交差点で一致する必要があるが、これを実現するのは厄介である。
【０００５】
（発明の開示）
本発明は、干渉性電磁放射光を出力する光源手段と、光源手段からの放射光を所定の空間点へ送信する送信手段と、空間点からの反射放射光を受信する受信手段と、反射放射光の任意のドップラーシフトを測定する測定手段とを備えるドップラーセンサ装置であって、送信手段及び受信手段は別個のものであり、送信手段及び受信手段の各々は、取り外し可能に取り付けられる放射光案内手段を有し、光源手段から送信手段へ及び受信手段から測定手段へ放射光を案内する放射光案内手段は、送信手段及び受信手段を、送信手段及び受信手段に位置合わせするのに使用される放射光案内手段と交換できるようになっているドップラーセンサ装置を提供する。
【０００６】
本発明による装置は、ドップラー検出のために良好に規定された試験体積と、空間点に隣接する試験体積の外側で発生する全ての散乱放射光の有効な除去をもたらす。
取り外し可能に取り付けることができる放射光案内手段を備えているので、ドップラーシフトの測定を容易にする装置の構成部品と、送信手段と受信手段との位置合わせを容易にする構成部品とを簡単に交換することが可能になる。従って、送信手段と受信手段との満足のいく位置合わせを容易に実現できる。更に、送信手段と受信手段とは、装置の他の部分から離れていてもよく、厄介な又は不利な環境での測定を改善できる。精巧な又は高価な構成部品は、安全な場所に配置できる。
【０００７】
放射光案内手段は、光ファイバ手段であることが好ましい。光ファイバ手段は、単一モード光ファイバである。
また、放射光は、光ファイバ手段により装置の各構成部品の間に案内される。
更に、光源手段は、半導体レーザであることが好ましい。半導体レーザは、外部キャビティ型半導体レーザダイオードであってもよい。
本装置は、光源手段からの放射光を２つの第１の出力に分配するための第１の手段を含むことができる。放射光が光ファイバによって各構成部品間に案内される場合には、第１の手段はファイバカップラであってもよい。
【０００８】
本装置は、放射光を一方向にのみ送信するアイソレータを更に含むことができる。これはノイズレベルに悪影響を与える光源への帰還に関する問題を解決するのに使用できる。光学環境において、このようなアイソレータは光学ダイオードとして知られている。
本装置は、放射光出力を反射光の信頼性の高い検出を行うのに十分なレベルに増幅する増幅器を更に含むことができる。この場合も同様に、放射光が光ファイバによって各構成部品間に案内される場合には、増幅器はエルビウムドープ・ファイバ増幅器であってもよい
本装置は、モジュレータを更に含むことができる。光学環境において、音響光学モジュレータは、光源からの放射光出力の周波数をシフトするのに使用でき、正負のドップラーシフトの識別が可能になる。
【０００９】
送信手段と受信手段とを位置合わせするのに使用する放射光を案内するための放射光案内手段は、第１の出力の１つからの放射光を２つの第２の出力に分配する第２の手段と、２つの第２の出力からの放射光を送信手段及び受信手段へ案内する放射光案内手段とを備えることができる。もしくは、送信手段と受信手段とを位置合わせするのに使用する放射光は、別個の光源から得ることもできる。
【００１０】
本装置は、受信放射光の偏光状態を基準（局部発振器）放射光に一致させる偏光コントローラを更に備えることができる。もしくは、偏光維持型放射光案内手段又は光ファイバ手段を使用することもできる。
本装置は、２つの第１の出力の他方からの放射光と受信手段からの放射光とを結合し、結合された放射光を２つの第３の出力に分配する手段を更に備えることができる。
【００１１】
測定手段は、第３の出力の一方の放射光を受信するモニタ手段と、第３の出力の他方の放射光を受信する検出手段とを更に備えることができる。
受信手段は、各々が空間点の別個の反射放射光を受信する、第１及び第２の受信入力をもつことができる。
送信手段と受信手段との位置合わせ段階は、ビームプロファイラーを使用するか、又は装置及び／又は蛍光カードを使用することを含むことができる。
本発明による装置は、特に連続波ドップラー風速センサに使用するのに適する。
【００１２】
更に、本発明は、干渉性電磁放射光を出力する光源手段と、光源手段からの放射光を所定の空間点へ送信する送信手段と、空間点からの反射放射光を受信する受信手段と、反射放射光の任意のドップラーシフトを測定する測定手段（８）とを備えるドップラーセンサ装置であって、送信手段と受信手段とは別個のものであり、送信手段と受信手段とを位置合わせする方法は、送信手段及び受信手段から同時に放射光を送信する段階と、送信手段及び受信手段の位置を、各々が送信した放射光が交差するまで調整する段階とを含むドップラーセンサ装置を提供するものである。
【００１３】
更に、本発明は、干渉性電磁放射光を出力する光源手段と、光源手段からの放射光を所定の空間点へ送信する送信手段と、空間点からの反射放射光を受信する受信手段と、反射放射光の任意のドップラーシフトを測定する測定手段と、光源手段から送信手段へ及び受信手段から測定手段へ放射光を案内する手段とを備えるドップラーセンサ装置であって、送信手段と受信手段とは分別個のものであり、送信手段と受信手段とを位置合わせする方法は、放射光案内手段を、送信手段及び受信手段へ放射光を案内する手段に交換する段階を含むドップラーセンサ装置を提供するものである。
本発明は、添付の図面を参照して以下に例示的に詳細に説明される。
【００１４】
（発明を実施するための最良の形態）
図１を参照すると、バイスタティック・レーザドップラー風速測定装置１は、出力７ｍＷの主発振器として機能する、高干渉外部キャビティ型半導体レーザ光源２を有している。送信部品４は、光源２からの光を所定の空間点（図示せず）に送信し、受信部品６は、所定の空間点からの反射光を受信し、測定手段８は、反射光を送信光と比較して分析する。
【００１５】
空中の粒子は、浮遊空気と同じ速度で移動すると想定される。従って、粒子が任意の空間点を通過する速度は、その点での風速の指標である。光源２からの光は、送信部品４を経由して風速を測定する空間点に送信される。この点を通過する粒子は送信光に衝突し、粒子からの反射光は受信部品６に戻る。粒子は移動しているので、そこからの反射光はドップラーシフトの影響を受け、ドップラーシフトの大きさを測定することによって、試験体積において送信光の経路と反射光の経路との間に内在する角度の二等分線として定義される軸線に沿った、粒子の速度成分を測定できる。
【００１６】
光源２からの光は、１×２カプラ１０を通って案内される。１×２カプラ１０の一方からの光は、光源２への帰還を防ぐ光学的ファラデーアイソレータ１２を通過する。このような帰還は、ノイズレベルに悪影響を及ぼすであろう。アイソレータ１２からの光は、音響光学モジュレータ１４を通って案内され、装置１に対する粒子の移動方向に基づく正負のドップラーシフトの識別を可能にする、周波数オフセットが付与される。次に、光は、エルビウムドープ・ファイバ増幅器１６において出力約１Ｗまで増幅されるが、これは反射放射光を確実に検知するのに十分なレベルである。光は増幅器１６から送信部品４に送られて所定の空間点に送信される。このような構成は、主発振器パワー増幅器として一般に知られており、損失を最小限にすると考えられる。送信部品４により送信される光の波長は１．５５μｍである。
【００１７】
１×２カプラ１０からの第２の光は、局部発振器として機能し、ファイバ偏光コントローラ２０を経由して２×２スプリッタ１８の一方の入力へ送られる。ファイバ偏光コントローラ２０は、光源出力と受信光との間の偏光を一致させて、ヘテロダイン検波のための最適化された光ビートを保証する。２×２スプリッタ１８の他方の入力には、受信部品６で受信した反射光が供給される。２×２スプリッタ１８、モニタ２２、及びＩｎＧａ  Ａｓ  光検出器２４は、測定手段８を構成する。２×２スプリッタ１８の各々の出力からの光は、モニタ２２及び検出器２４へそれぞれ送られ、反射光の周波数及びドップラーシフトはビートにより測定される。
【００１８】
光は、装置１の全ての光学部品の間で単一モード光ファイバ（例えば、Ｃｏｒｎｉｎｇ  ＣｏｍｐａｎｙからＳＭＦ−２８の名称で入手可能）によって案内される。詳細には、光は、光ファイバ２６，２８によって増幅器１６から送信部品４へ及び受信部品６から２×２スプリッタ１８へそれぞれ案内される。送信部品４（図示せず）は、二重色消しレンズ、及び３Ｄ変換ステージ上の光ファイバコネクタを有している。光は、送信ファイバ２６から現れ、焦点距離１００ｍｍの直径３０ｍｍ色消し収斂レンズに入射する。受信部品６は、送信部品４と全く同一構成である。ファイバ２６，２８の各々は、対応するファイバコネクタを用いて取り外し可能に取り付けることができる。また、ファイバコネクタは、増幅器１６にも設けられており、送信ファイバ２６を取り外し可能に取り付けることができる。各構成部品は、ＦＣ／ＰＣ又はＦＣ／ＡＰＣコネクタを介して相互に取り付けられる。
【００１９】
また、図２を参照すると、送信部品４と受信部品６とを位置合わせするために、ファイバ２６，２８は、送信部品４、受信部品６、及び増幅器１６から取り外される。その代わりに、各々の間に、増幅器１６から供給される光ファイバ入力３２と、送信部品４及び受信部品６の一方へ供給する光ファイバ出力３４，３５とを備える１×２スプリッタ３０を取り付ける。つまり、一時的に、位置合わせ工程の間には、送信部品４及び受信部品６の両者は送信器として使用される。送信部品４及び受信部品６は、各々から送信された光が、風速の測定点で交差するまで集束される。焦点合わせは、ビームプロファイラー（図示せず）を所望の交差点を含む平面に配置することを必要とする。これにより、送信手段（４）と受信手段（６）とを位置合わせするのに使用される送信ビーム放射光のリアルタイムでの定量的測定が可能になるが、各第１の出力の１つからの放射光を２つの第２の出力の分配する第２の手段（３０）と、２つの第２の出力からの放射光を送信手段及び受信手段へ案内する放射光案内手段とを備えている。幅及びその位置に関して説明する。幅は、最小化されているので光学的に重ね合わさる。送信部品４及び受信部品６の各々の３Ｄ変換ステージは、送信部品４及び受信部品６のスライド、回転等、及び位置変更を可能にする。調整時に、ミラー３０は、送信光ビームを送信部品４及び受信部品６に隣接する一致仮想点Ｐへ反射するのに利用される。一旦調整が完了すると、増幅器１６を送信部品４に、及び受信部品６をスプリッタ１８に接続するファイバ２６，２８は、送信部品４及び受信部品６の位置を乱すことなく元に戻され、風速の測定が開始される。典型的に、風速は装置から約１００メートル離れた地点で、ＳＡＷ、ＤＳＰ、又は類似のスペクトル解析により処理される検出器の出力から測定される。
【００２０】
従って、ファイバ２６，２８を取り外し可能に取り付ける手段を備えることにより、送信部品４及び受信部品６は、測定を行うのに必要な構成部品と、送信部品４及び受信部品６の位置合わせを可能にする構成部品との間で容易に選択的に交換できるようになる。
【図面の簡単な説明】
【図１】  本発明によるドップラーセンサ装置の概略図である。
【図２】  装置設定に関する位置合わせステップ時の図１に示す装置の構成の概略図である。
【図１】
0004693324.tif 000002
【図２】
0004693324.tif 000003